(57)【特許請求の範囲】
【請求項１】
圧縮室（１６、１６ａ）を形成するための固定スクロール（２）および可動スクロール（４）と、
前記圧縮室（１６、１６ａ）に流体を吸込むための吸入口（１３）と、
前記圧縮室（１６、１６ａ）にて圧縮された流体を吐出するための吐出口（９）と、
圧縮途中の圧縮室（１６ａ）内の流体を、前記吸入口（１３）の側へ導くためのアンローダ部（１１）と、
前記アンローダ部（１１）を動作させうる制御手段（３１）と、
前記固定スクロール（２）および前記可動スクロール（４）のいずれか一方のスクロールの背面に設けられ、前記吐出口（９）より吐出した吐出圧力を有する流体が導かれる第１背圧室（１４）と
を備え、
前記制御手段（３１）は、
前記吸入圧力および前記吐出圧力を検知、算出または予測し、
検知、算出または予測された前記吸入圧力および前記吐出圧力に基づいて、固定スクロール（２）と可動スクロール（４）とを引離そうとする離反力と、一方のスクロールを他方のスクロールに押付けようとする押付力とを比較し、
前記押付力が前記離反力に対して不足した時または不足しそうな時に、前記アンローダ部（１１）を動作させて、圧縮途中の前記圧縮室（１６ａ）内の流体を前記吸入口（１３）の側へ開放する、スクロール型圧縮機。
【請求項２】
前記制御手段（３１）では、前記吐出圧力および前吸入圧力は、前記ケーシング（２２）の外において、吐出した流体を送り出す吐出管（２１）と流体を受入れる吸入管（２０）との間に接続される蒸発器（３３）および凝縮器（３５）をそれぞれ流れる流体の温度から算出または予測される、請求項１記載のスクロール型圧縮機。
【請求項３】
前記アンローダ部（１１）は、
圧縮途中の前記圧縮室（１６ａ）と前記吸入口（１３）の側の領域とを連通する第１通路（１２ａ、１２ｂ）の途中に設けられ、前記吐出圧力の流体または前記吸入圧力の流体により前記第１通路（１２ａ）の開閉動作を行うための第１開閉部（１１）を有し、
前記吸入圧力の流体が前記第１開閉部（１１）に導かれることにより、前記第１開閉部（１１）が開かれ、
前記吐出圧力の流体が前記第１開閉部（１１）に導かれることにより、前記第１開閉部（１１）が閉じられる、請求項１または２に記載のスクロール型圧縮機。
【請求項４】
前記いずれか一方のスクロールの背面に、前記吐出圧力の流体が減圧されて導かれる第２背圧室（１５）をさらに備えた、請求項１〜３のいずれかに記載のスクロール型圧縮機。
【請求項５】
前記第１背圧室（１４）と前記第２背圧室（１５）とをシールするシール部材（８）を備え、
前記吐出圧力の流体は、前記第１背圧室（１４）から前記シール部材（８）近傍の隙間を介して前記第２背圧室（１５）へ流れ込むことで減圧される、請求項４記載のスクロール型圧縮機。
【請求項６】
前記可動スクロール（４）を駆動するための電動機（２４）は可変速型電動機（２４）である、請求項１〜５のいずれかに記載のスクロール型圧縮機。
【請求項７】
圧縮途中の前記圧縮室内の流体を前記吐出口（９）の側の領域へ直接導くためのリリーフポートと、
前記リリーフポートの途中または出口に設けられ、圧縮途中の前記圧縮室内の圧力が前記吐出口（９）側の圧力よりも高くなった場合に、前記リリーフポートを開放するリリーフ弁と
を有する、請求項１〜６のいずれかに記載のスクロール型圧縮機。
【発明の詳細な説明】
【０００１】
【発明の属する技術分野】
本発明はスクロール型圧縮機に関し、特に固定スクロールと可動スクロールとのシール性を高め、内部リークの抑制されるスクロール型圧縮機に関するものである。
【０００２】
【従来の技術】
従来のスクロール型圧縮機の一例として、特開平６−３３０８６４号公報に記載されたスクロール型圧縮機について説明する。
【０００３】
図８を参照して、スクロール型圧縮機のケーシング１０１内の上部には、可動スクロール１０３と固定スクロール１０２とが支持されている。可動スクロール１０３の鏡板１３１には可動スクロール歯１３２が突設されている。固定スクロール１０２の鏡板１２１には固定スクロール歯１２２が突設されている。可動スクロール歯１３２と固定スクロール歯１２２とが噛合うことで圧縮室が形成される。
【０００４】
固定スクロール１０２の外周部分には、吸入管１０７から送られた冷媒ガスを、圧縮室へ取込むための吸入口１８０が設けられている。固定スクロール１０２の中央付近には、圧縮されて高圧となった冷媒ガスを吐出するための吐出口１２３が形成されている。
【０００５】
ケーシング１０１内の下部には、モータ１０４が設けられている。そのモータ１０４から延びる駆動軸１４１が可動スクロール１０３の下方に固定された軸受ハウジング１０５に軸受支持されている。可動スクロール１０３の鏡板１３１に設けられたボス部１３３が駆動軸１４１の上端部分に挿嵌されている。
【０００６】
軸受ハウジング１０５と可動スクロール１０３との間には背圧室１０９が形成されている。この背圧室１０９には、高圧（吐出圧力）が作用している。可動スクロール１０３と軸受ハウジング１０５との間には、シールリング１７０が設けられている。
【０００７】
このシールリング１７０は、高圧の背圧室１０９と、可動スクロール１０３と固定スクロール１０２とが配置されている低圧（吸入圧力）の空間とをシールしている。このため、シールリング１７０より内側の可動スクロール１０３の鏡板１３１の背面には吐出圧力が作用し、シールリング１７０より外側の背面には吸入圧力が作用することになる。
【０００８】
固定スクロール１０２の鏡板１２１には、過圧縮を防止するために圧縮途中の圧縮室の冷媒ガスを吐出室１０１Ａへ逃がすためのリリーフポート１１０とリリーフ弁１１１とが設けられている。
【０００９】
また、固定スクロール１０２には、吐出口１２３の上部側を覆うカバー体１２４が固定ボルトにより取付けられている。カバー体１２４はケーシング１０１内上部側に固定された支持板１０６に連結されている。支持板１０６には吐出口１２３に連通する連通孔１６１が設けられている。
【００１０】
連通孔１６１が開口しているケーシング１０１の吐出室１０１Ａと、軸受ハウジング１０５より下方の空間１０１Ｂとが、連絡路１０１Ｃで連通されている。その空間１０１Ｂには、高圧の冷媒ガスをケーシング１０１の外へ送出すための吐出管１０８が開口している。
【００１１】
次に上述したスクロール型圧縮機の動作について説明する。
モータ１０４の回転に伴い、可動スクロール１０３が固定スクロール１０２に対して公転駆動し、可動スクロール歯１３２と固定スクロール歯１２２とによって形成される圧縮室が、外周部から中心部に向かって渦巻き状に収縮しながら移動する。
【００１２】
この動作により、吸入管１０７から吸入口１８０を経て圧縮室に送込まれた低圧の冷媒ガスが圧縮されて高圧の冷媒ガスになる。高圧の冷媒ガスは、吐出口１２３から吐出する。吐出口１２３から吐出した冷媒ガスは、連通孔１６１、吐出室１０１Ａおよび連絡路１０１Ｃを経て空間１０１Ｂに流れ込む。空間１０１Ｂに流れ込んだ冷媒ガスは、吐出管１０８よりケーシング１０１の外へ送出される。
【００１３】
次に、この動作における可動スクロール１０３の鏡板１３１に作用する圧力について説明する。鏡板１３１には、一方から圧縮室内の流体の圧力が作用し、他方から背面圧力が作用する。図９は鏡板１３１の位置に対する圧縮室内の圧力分布と背面の圧力分布を模式的に示したものである。
【００１４】
上述したように、圧縮室は外周部から中心部に向かって渦巻き状に収縮しながら移動する。このため、吸入行程中の最外周の圧縮室から圧縮途中の圧縮室を経て、吐出行程中の圧縮室に至るにしたがい、圧縮室の圧力が上昇する。
【００１５】
したがって、吸入行程中の圧縮室の圧力が最も低く吸入圧力Ｐｓとなり、吐出行程中の圧力が最も高く吐出圧力Ｐｄとなる。圧縮途中の圧縮室の圧力は、吸入圧力Ｐｓと吐出圧力Ｐｄとの間の圧力Ｐｍとなる。
【００１６】
これにより、可動スクロール１０３の鏡板１３１には、上記圧力に基づいて可動スクロールと固定スクロールとを引離そうとする力（離反力）が作用することになる。
【００１７】
一方、鏡板１３１には、上述したように、鏡板１３１の背面のシールリング１７０より内側の領域では吐出圧力Ｐｄが作用し、外側の領域では吸入圧力Ｐｓが作用している。
【００１８】
これにより、可動スクロール１０３の鏡板１３１には上記圧力に基づいて、離反力とは反対の向きに、可動スクロール１０３を固定スクロール１０２の側に押付けようとする力（押付力）が作用することになる。
【００１９】
標準的な運転圧力比でスクロール型圧縮機が運転される場合には、図９に示すような圧力分布となる。したがって、この場合では、離反力に比べて十分な押付力が得られて、可動スクロール１０３が固定スクロール１０２から離反することが防止される。そして、各スクロール歯１２２、１３２がそれぞれ鏡板１２１、１３１に密着することで、内部リークを抑制することができる。
【００２０】
なお、運転圧力比とは、スクロール型圧縮機に蒸発器および凝縮器を含めた冷凍サイクルにより決まる圧力比であり、具体的には、凝縮圧力で決定される吐出圧力Ｐｄを蒸発圧力で決定される吸入圧力Ｐｓで除した値である。
【００２１】
標準的な運転圧力比とは、この値が各スクロール歯１２２、１３２により決まる設計圧力比と同レベルである状態をいい、具体的には、この値が約２〜５の範囲にある状態をいう。
【００２２】
【発明が解決しようとする課題】
上述したように、スクロール型圧縮機が標準的な運転圧力比で運転される場合には、離反力に比べて十分な押付力が得られて、内部リークを抑制することができる。
【００２３】
しかしながら、運転圧力比の値が約２以下であるような低運転圧力比で運転される場合には、以下に示すような問題があった。このような運転圧力比は、設計圧力比よりも小さくなる場合であり、具体的には、吸入圧力Ｐｓが吐出圧力Ｐｄに比べて相対的に高くなる場合や、吐出圧力Ｐｄが吸入圧力Ｐｓに比べて相対的に低くなる場合である。したがって、この場合には、吐出圧力が下がるために圧縮途中の圧縮室の圧力が吐出圧力よりも高くなることがある。
【００２４】
このような低運転圧力比の場合における鏡板１３１の位置に対する圧縮室内の圧力分布と背面の圧力分布について説明する。図１０に示すように、吸入行程中の圧縮室の圧力が最も低く吸入圧力Ｐｓであり、圧縮途中の圧縮室の圧力が最も高く圧力Ｐｍとなる。吐出行程中の圧縮室の圧力は、吸入圧力Ｐｓと圧力Ｐｍとの間の吐出圧力Ｐｄとなる。鏡板１３１には、これらの圧力に基づいて離反力が作用することになる。
【００２５】
一方、鏡板１３１には、背圧力としてシールリング１７０より内側の領域では吐出圧力Ｐｄが作用し、外側の領域では吸入圧力Ｐｓが作用している。鏡板１３１には、これらの圧力に基づいて押付力が作用することになる。
【００２６】
離反力と押付力とを比べると、吐出圧力Ｐｄが圧縮途中の圧力Ｐｍよりも低くなるため、離反力に対して押付力が十分ではなくなる。このため、各スクロール歯１２２、１３２がそれぞれ鏡板１２１、１３１に良好に密着しなくなり、高圧側の圧縮室から低圧側の圧縮室に向かって内部リークが発生することがあった。
【００２７】
また、上記スクロール型圧縮機の場合では、圧縮途中の圧縮室において、所定の圧力以上になった場合（過圧縮）に、リリーフ弁１１１を開いて、その圧縮室の冷媒ガスをリリーフポート１１０を経て吐出室１０１Ａへ流すことができる。これにより、圧縮途中の圧縮室の圧力は、吐出圧力Ｐｄ程度にまで下がることになる。
【００２８】
ところが、リリーフポート１１０に通じている圧縮室の後（外側）に続く圧縮室の圧力は、吸入圧力Ｐｓよりも高い状態にある。このため、リリーフポート１１０に通じている圧縮室の圧力が、吐出圧力Ｐｄ程度にまで下がったとはいえ、離反力に対して押付力が十分ではなく、内部リークが発生することがあった。
【００２９】
本発明は、上記問題点を解決するためになされたものであり、離反力に対して十分な押付力が得られ、内部リークの低減されるスクロール型圧縮機を提供することを目的とする。
【００３０】
【課題を解決するための手段】
請求項１に記載されたスクロール型圧縮機は、固定スクロールおよび可動スクロールと、吸入口と、吐出口と、アンローダ部と、制御手段と、第１背圧室とを備えている。固定スクロールおよび可動スクロールは圧縮室を形成している。吸入口は圧縮室に流体を送込んでいる。吐出口は圧縮室にて圧縮された流体を吐出する。アンローダ部は、圧縮途中の圧縮室内の流体を吸入口の側へ導く。制御手段はアンローダ部を動作させる。第１背圧室は固定スクロールおよび可動スクロールのいずれか一方のスクロールの背面に設けられ、吐出口より吐出した吐出圧力を有する流体が導かれる。制御手段は、吸入圧力および吐出圧力を検知、算出または予測し、検知、算出または予測された吸入圧力および吐出圧力に基づいて、固定スクロールと可動スクロールとを引離そうとする離反力と、一方のスクロールを他方のスクロールに押付けようとする押付力とを比較し、そして、押付力が離反力に対して不足した時または不足しそうな時にアンローダ部を動作させて、圧縮途中の圧縮室内の流体を吸入口の側へ開放する。
【００３１】
この請求項１に記載されたスクロール型圧縮機によれば、たとえば低運転圧力比にて運転される場合に過圧縮現象が発生するなどして離反力が押付力以上になろうとする場合には、制御部でこれを検知してアンローダ部を動作させることにより、圧縮途中の圧縮室の流体が吸入口の側へ導かれる。これにより、押付力が下がっても離反力が下がることで相対的には十分な押付力が得られて圧縮室の内部リークを抑制することができる。また、過圧縮現象も緩和することができる。
【００３２】
請求項２に記載されたスクロール型圧縮機の制御手段では、吐出圧力および吸入圧力は、ケーシングの外において、吐出した流体を送り出す吐出管と流体を受入れる吸入管との間に接続される蒸発器および凝縮器をそれぞれ流れる流体の温度から算出されるのが好ましい。
【００３３】
この請求項２に記載されたスクロール型圧縮機によれば、蒸発器を流れる流体の温度から得られる蒸発温度と、凝縮器を流れる流体の温度から得られる凝縮温度とから、それぞれ蒸発圧力と凝縮圧力とが一意的に求められる。その蒸発圧力および凝縮圧力は、それぞれ吸入圧力および吐出圧力に略等しい。これにより、蒸発器を流れる流体の温度と凝縮器を流れる流体の温度とを測定することで、容易に吸入圧力と吐出圧力とを求めることができる。
【００３４】
請求項３に記載されたスクロール型圧縮機のアンローダ部は、圧縮途中の圧縮室と吸入口の側の領域とを連通する第１通路の途中に設けられ、吐出圧力の流体または吸入圧力の流体により第１通路の開閉動作を行うための第１開閉部を有し、吸入圧力の流体が第１開閉部に導かれることにより、第１開閉部が開かれ、吐出圧力の流体が第１開閉部に導かれることにより、第１開閉部が閉じられるのが好ましい。
【００３５】
この請求項３に記載されたスクロール型圧縮機によれば、第１開閉部の開閉動作を、流体の圧力を利用し吐出圧力の流体と吸入圧力の流体とを切替えることによって容易に行うことができる。
【００３６】
請求項４に記載されたスクロール型圧縮機は、第１背圧室が設けられているスクロールの背面に、吐出圧力の流体が減圧されて導かれる第２背圧室をさらに備えていることが好ましい。
【００３７】
この請求項４に記載されたスクロール型圧縮機によれば、吐出圧力の流体が減圧されることで、第２背圧室内の圧力は吐出圧力と吸入圧力との間の圧力になる。これにより、第２背圧室内の圧力が吸入圧力である場合と比べて、さらに十分な押付力が得られて、内部リークの発生を効果的に抑制することができる。また、第１背圧室および第２背圧室の圧力をすべて吐出圧力とする場合よりも、通常の運転圧力比にて運転される場合の押付力は小さくなるため、一方のスクロールを他方のスクロールに押付け過ぎることもない。
【００３８】
請求項５に記載されたスクロール型圧縮機は、第１背圧室と第２背圧室とをシールするシール部材を備え、吐出圧力の流体は、第１背圧室からシール部材近傍の隙間を介して第２背圧室へ流れ込むことで減圧されることが好ましい。
【００３９】
この請求項５に記載されたスクロール型圧縮機によれば、複雑な機構を必要とせずに流体を容易に減圧することができる。
【００４０】
請求項６に記載されたスクロール型圧縮機では、可動スクロールを駆動するための電動機は可変速型電動機であることが好ましい。
【００４１】
この請求項６に記載されたスクロール型圧縮機によれば、電動機の回転数を上げることで、たとえばデフロスト運転を短時間で終了させることができる。
【００４２】
請求項７に記載されたスクロール型圧縮機は、圧縮途中の圧縮室内の流体を吐出口の側の領域へ直接導くためのリリーフポートと、リリーフポートの途中または出口に設けられ、圧縮途中の圧縮室内の圧力が吐出口側の圧力よりも高くなった場合に、リリーフポートを開放するリリーフ弁とを有していることが好ましい。
【００４３】
この請求項７に記載されたスクロール型圧縮機によれば、アンローダ部を動作させても非常に運転圧力比が小さい場合には、過圧縮現象が発生することがあり、この場合に過圧縮を起こしている圧縮室の流体が吐出口の側の領域に開放されて、過圧縮現象をより緩和することができる。
【００５０】
【発明の実施の形態】
実施の形態１
本発明の実施の形態１に係るスクロール型圧縮機について説明する。まず、スクロール型圧縮機を含めた冷凍サイクルの構成について説明する。図１を参照して、一般に冷凍サイクルは、スクロール型圧縮機１、凝縮器３５、膨張弁３４および蒸発器３３の４つの主要な機器によって構成されている。
【００５１】
凝縮器３５の一端側がスクロール型圧縮機の吐出管２１に接続され、他端側が膨張弁３４を介して蒸発器３３の一端側に接続されている。蒸発器３３の他端側は吸入管２０に接続されている。スクロール型圧縮機１では、吸入管２０より吸入した低圧の冷媒ガスをスクロール圧縮部にて圧縮し、高圧となった冷媒ガスを吐出管２１より送出す。
【００５２】
そのスクロール型圧縮機１には、圧縮途中の冷媒ガスを吸入口の側へ導くためのアンローダ機構１１が設けられている。そのアンローダ機構１１を動作させるための制御部３１が設けられている。蒸発器３３および凝縮器３５には、蒸発器３３または凝縮器３５をそれぞれ流れる流体（冷媒）の温度を測定するための温度センサ３７ａ、３７ｂがそれぞれ取付けられている。そして、これらの温度センサ３７ａ、３７ｂは制御部３１に接続されている。
【００５３】
吐出管２１と吸入管２０との間にはバイパス３０が設けられ、そのバイパス３０の途中から分岐させた配管がアンローダ機構１１に接続されている。
【００５４】
その分岐点と吸入管２０との間には、高圧の冷媒ガスをアンローダ機構１１に送込むための電磁弁３２が設けられている。電磁弁３２には、これを開閉するために制御部３１からの信号が入力される。電磁弁３２が閉じていると吐出管２１内の吐出圧力が、アンローダ機構１１のピストンのスクロールが配置されている側とは反対側の部分に作用する。電磁弁３２が開くとアンローダ機構１１のピストンのその部分には、吸入圧力が作用する。また、バイパス３０の吐出管２１と分岐点との間には、減圧キャピラリ３６が設けられている。
【００５５】
次にスクロール型圧縮機１についてさらに詳しく説明する。図２を参照して、スクロール型圧縮機のケーシング２２内の上部には、可動スクロール４と固定スクロール２とが支持されている。可動スクロール４の鏡板４ｂには可動スクロール歯４ａが突設されている。固定スクロール２の鏡板２ｂには固定スクロール歯２ａが突設されている。可動スクロール歯４ａと固定スクロール歯２ａとが噛合うことで圧縮室１６が形成される。
【００５６】
固定スクロール２の外周部分には、吸入管２０から送られた冷媒ガスを、圧縮室１６へ送込むための吸入口１３が設けられている。可動スクロール４の中央付近には、圧縮されて高圧となった冷媒ガスを吐出するための吐出口９が設けられている。
【００５７】
ケーシング２２内のモータ２４から延びる駆動軸５の上端側が、架構６に軸受支持されている。駆動軸５の偏心軸部５ｂが、可動スクロール４の鏡板４ｂに設けられたボス部４ｃに固定された軸受ピンメタル５１内面に回転可能に挿入されたスライドブシュ５２の内孔に挿嵌されている。
【００５８】
駆動軸５には、吐出口９から吐出する冷媒ガスを導くための吐出ガス通路５ａと吐出ガス出口（図示せず）とが形成されている。ケーシング２２内に流れ出た高圧の冷媒ガスを、ケーシング２２の外へ送出すための吐出管２１が設けられている。
【００５９】
架構６と可動スクロール４との間には第１背圧室１４、第２背圧室１５が形成されている。第１背圧室１４はクランク室７であり、ボス部４および偏心軸部５ｂが収容されている。第２背圧室は、第１背圧室の外周に形成されている。第１背圧室と第２背圧室とは、シールリング８によってシールされている。第１背圧室１４には、高圧（吐出圧力）が作用している。第２背圧室には、連通孔１０を介して吸入圧力の冷媒ガスが流れ込み、吸入圧力が作用している。
【００６０】
したがって、シールリング８より内側の可動スクロール４の鏡板４ｂの背面には吐出圧力が作用し、シールリング８より外側の背面には吸入圧力が作用することになる。
【００６１】
固定スクロール２の鏡板２ｂには、圧縮途中の圧縮室１６ａの冷媒ガスを吸入口１３の側へ導くためのアンローダ機構１１が設けられている。鏡板２ｂには、ドーム２２ａ内の空間を介してその圧縮室１６ａと吸入口１３の側とを結ぶための通路１２ａ、１２ｂが設けられている。通路１２ａの途中にはシリンダ１１ａが形成され、ピストン１１ｂが装着されている。そのピストン１１ｂの一方側にはばね１１ｃが配置され、ピストン１１ｂの他方側には、バイパス３０から分岐した配管が接続されている。
【００６２】
次に上述したスクロール型圧縮機の動作について説明する。
モータ２４の回転に伴い、可動スクロール４が固定スクロール２に対して公転駆動し、可動スクロール歯４ａと固定スクロール歯２ａとによって形成される圧縮室１６が、外周部から中心部に向かって渦巻き状に収縮しながら移動する。
【００６３】
これにより、吸入管２０から吸入口１３を経て圧縮室１６に送込まれた低圧の冷媒ガスが圧縮されて高圧の冷媒ガスになる。高圧の冷媒ガスは、吐出口８から吐出する。吐出口８から吐出した冷媒ガスは、駆動軸５に設けられた吐出ガス通路５ａを通り、吐出ガス出口（図示せず）からケーシング２２内に流れ込む。
【００６４】
ケーシング２２内に流れ込んだ冷媒ガスは、吐出管２１よりケーシング１０１の外へ送出される。スクロール型圧縮機では、このような一連の圧縮動作が行われる。
【００６５】
次に、この一連の圧縮動作における制御部３１の処理について、図３に示すフローチャートに基づいて詳しく説明する。制御部３１では、ステップＳ１において、吸入圧力と吐出圧力の検出、算出または予測が行われる。これには、まず蒸発器３３に設けられた温度センサ３７ａによって得られる蒸発温度Ｔｅのデータから蒸発圧力Ｐｅが求められる。また、凝縮器３５に設けられた温度センサ３７ｂによって得られる凝縮温度Ｔｃから凝縮圧力Ｐｃが求められる。吸入圧力Ｐｓは蒸発圧力Ｐｅにほぼ等しい。吐出圧力Ｐｄはほぼ凝縮圧力Ｐｃにほぼ等しい。このようにして、吸入圧力Ｐｓと吐出圧力Ｐｄとが求められる。
【００６６】
次に、求められた吸入圧力Ｐｓと吐出圧力Ｐｄに基づいて、ステップＳ２において押付力と離反力が算出される。第１背圧室１４により、吐出圧力Ｐｄが作用する鏡板４ｂの面積（駆動軸方向の投影面積）をＳｄとし、第２背圧室１５により、吸入圧力Ｐｓが作用する鏡板４ｂの面積をＳｓ1とすると、押付力Ｆｂｐは、次の式で与えられる。
【００６７】
Ｆｂｐ＝Ｐｄ・Ｓｄ＋Ｐｓ・Ｓｓ1
一方、離反力は、各圧縮室に作用する圧力と、その圧力が作用する面積との積の総和として求められる。すなわち、可動スクロール４と固定スクロール２とで形成される圧縮室内の圧力をＰｃとし、その圧力が作用する鏡板４ｂの面積（駆動軸方向の投影面積）をＳｃとし、吸入圧力Ｐｓが作用する鏡板４ｂの面積をＳｓ2とすると、離反力Ｆｔｈは、次の式で与えられる。
【００６８】
Ｆｔｈ＝ΣＰｃ・Ｓｃ＋Ｐｓ・Ｓｓ2
なお、圧縮室内の圧力Ｐｃは、概ね次の式で与えられる。
【００６９】
Ｐｃ＝（Ｖｓ／Ｖｃ）k・Ｐｓ
ここで、Ｖｃは圧力が吸入圧力Ｐｃになっている圧縮室の体積であり、Ｖｓは吸入完了時点（圧縮開始時点）の圧縮室の体積である。この体積Ｖｃ、Ｖｓは、スクロール歯の形状により幾何学的に決定される。また、ｋは比熱比である。
このようにして、吸入圧力Ｐｓと吐出圧力Ｐｄとに基づいて、押付力Ｆｂｐと離反力Ｆｔｈとが求められる。
【００７０】
次に、ステップＳ３において離反力が押付力以上であるか否かが判断される。離反力が押付力よりも小さいと判断される場合にはステップＳ４に進み、電磁弁３２に対してこれを閉じる信号が送られる。
【００７１】
一方、ステップＳ３において、離反力が押付力以上であると判断される場合にはステップＳ５に進み、電磁弁３２に対してこれを開ける信号が送られる。
制御部３１では、このような処理が適当な周期をもって繰り返し行われる。
【００７２】
スクロール型圧縮機の圧縮動作において、標準的な運転圧力比にて運転される場合には、従来の技術の項において説明したように離反力に対して押付力が十分に大きい。このため、制御部３１ではステップ３からステップ４に進み、電磁弁３２は閉じられるか、あるいは閉じられた状態が維持される。
【００７３】
この場合には、ピストン１１ｂには背圧として吐出圧力Ｐｄが作用するためピストン１１ｂは下方に押付けられてアンローダ機構１１は動作しない。そして、離反力に対して押付力が十分に大きいことで、各スクロール歯２ａ、４ａと鏡板２ｂ、４ｂとの密着性が確保され、内部リークの発生が抑制される。
【００７４】
次に、スクロール型圧縮機が、低運転圧力比にて運転される場合には、過圧縮現象が発生して離反力が押付力以上になってアンローダ機構１１が動作する。この場合について詳しく説明する。
【００７５】
低運転圧力比とは、前述したように、運転圧力比が設計圧力比よりも小さい状態で運転される場合であり、その値が約３以下であるような状態である。この場合には、吐出圧力Ｐｄが下がるために、圧縮途中の圧縮室の圧力が最も高くなって、過圧縮現象が発生することがある。特に、その値が２以下であるような運転状態では、過圧縮現象が非常に顕著になる。
【００７６】
このときの、可動スクロール４の鏡板４ｂに作用する力の分布について説明する。まず、鏡板４ｂの背面側においては、シールリング８よりも内側の領域では、吐出圧力Ｐｄが作用し、外側の領域では吸入圧力Ｐｓが作用している。鏡板４ｂにはこれらの力に基づいて押付力が作用する。そして、低運転圧力比の場合には吐出圧力が下がるため、標準的な運転圧力比の場合よりも押付力が低下する。
【００７７】
一方、鏡板４ｂには、吸入行程中の吸入圧力Ｐｓ、圧縮途中の圧力Ｐｍおよび吐出行程中の吐出圧力Ｐｄに基づいて離反力が作用する。吐出圧力Ｐｄが圧縮途中の圧力Ｐｍよりも下がるため、離反力に対して押付力が十分ではなくなる。
【００７８】
このとき、離反力が押付力以上になろうとすると、制御部３１から電磁弁３２に対してこれを開にする信号が送られる。電磁弁３２が開くと、ピストン１１ｂには背圧として吸入圧力Ｐｓが作用する。そして、ピストン１１ｂはばね１１ｃの弾性力により上昇して、圧縮途中の圧縮室１６ａと吸入口１３側とが通路１２ａおよびドーム２２ａ内空間を通じて繋がることになる。
【００７９】
これにより、鏡板４ｂの位置に対する圧縮室内の圧力分布は、図４に示すように、圧縮途中の圧縮室１６ａ内の圧力が吸入圧力Ｐｓ程度にまで下がって、離反力が下がる。
【００８０】
一方、アンローダ機構１１が動作する前後において鏡板の位置に対する背面の圧力分布には変化がない。このため、押付力が低下しても、離反力が下がることで相対的には十分な押付力が得られ、各スクロール歯２ａ、４ａが対向する鏡板２ｂ、４ｂに良好に密着して内部リークの発生を抑制することができる。
【００８１】
また、アンローダ機構１１の動作により、圧縮の開始が遅れ各スクロール歯２ａ、４ａで決まる設計圧力比も小さくなるため、過圧縮が低減してスクロール型圧縮機の運転効率を向上することができる。
【００８２】
なお、制御部３１では、吸入圧力Ｐｓおよび吐出圧力Ｐｄを求めるために、蒸発温度Ｔｅおよび凝縮温度Ｔｃを求めたが、この他に、スクロール型圧縮機内や冷凍サイクル内の所定の位置に適当な圧力センサを設置することで、吸入圧力Ｐｓと吐出圧力Ｐｄを直接検出してもよい。
【００８３】
また、上記制御部３１では、離反力と押付力の比較によりアンローダ機構１１を動作させたが、さらに、固定スクロールに対して可動スクロールが傾こうとするモーメントを考慮して、アンローダ機構１１を動作させてもよい。このことについて説明する。
【００８４】
上述したスクロール型圧縮機の場合、可動スクロール４の鏡板４ｂの一方側に可動スクロール歯４ａが形成され、他方側にボス部４ｃが形成されている。そして、可動スクロール４を公転駆動する部分が、可動スクロール歯４ａに作用する冷媒ガスの圧力荷重や可動スクロール４の重心に作用する遠心力の作用する点から離れている。このため、可動スクロール４には固定スクロール２に対して可動スクロール４を傾けるようなモーメントが発生する。
【００８５】
通常、可動スクロール４に作用する押付力は、圧縮室内の圧力に基づいた離反力に対抗できるだけでなく、このモーメントに十分対抗できるように幾分大きめに設定されるが、押付力がこのモーメントに対抗することができない場合にアンローダ機構１１を動作させるように制御してもよい。すなわち、可動スクロール４が固定スクロール２に対して傾きはじめる前にアンローダ機構１１を動作させる。
【００８６】
これにより、圧縮途中の圧縮室の圧力が吸入圧力Ｐｓ程度にまで下がるため、このモーメントが小さくなり、可動スクロール４が固定スクロール２に対して傾くことが防止される。その結果、可動スクロール４が固定スクロール２に対して傾くことに伴う内部リークを防止することができる。
【００８７】
また、冷凍サイクルにおける蒸発温度Ｔｅや凝縮温度Ｔｃが時間的に変化していく状態を検知して、押付力が不足する運転状態がこれから起こりそうになった状態で、アンローダ機構１１を動作させてもよい。
【００８８】
さらに、上述したスクロール型圧縮機では、デフロスト運転の場合のように吸入圧力Ｐｓと吐出圧力Ｐｄがともに低い場合には制御部３１にてアンローダ機構１１を動作させて吐出する流量を低下させないように、低い吐出圧力でもアンロード機構１１のばね１１ｃの弾性力に打ち勝って、ピストン１１ｂを押し下げられるように、ばね１１ｃの弾性力を比較的小さいものに設定しておくことが望ましい。アンローダ機構１１を動作させないことで、デフロスト運転が長時間に及ぶのを防止することができる。
【００８９】
実施の形態２
本発明に実施の形態２に係るスクロール型圧縮機について説明する。図５を参照して、本スクロール型圧縮機では、特に第２背圧室１５には吐出圧力Ｐｄを減圧した中間圧力Ｐｍｂの冷媒ガス等が導かれる。固定スクロール２には、吸入圧力室１６ｂまたはスクロール最外周の吸入圧力に近い圧力の圧縮室へ第２背圧室１５の冷媒ガスを導くための通路４２が形成されている。
【００９０】
通路４２の途中にはシリンダ４０が形成され、ピストン４１が装着されている。そのピストン４１の一方側には、ばね４３が配置され、吸入圧力Ｐｓとばね４３の弾性力が作用している。ピストン４１の他方側には、ピストン背圧として第２背圧室１５の圧力が作用している。
【００９１】
その第２背圧室１５には、第１背圧室１４内の高圧の冷媒ガスがシールリング８近傍の隙間から減圧されて流れ込む。また、冷媒ガスの他に、ボス部４ｃ等へ供給されたほぼ吐出圧力を有する潤滑油も流れ込む。なお、このスクロール型圧縮機には、図１に示された制御部等が接続されている。
【００９２】
これ以外の構成については、実施の形態１において説明した図１および図２に示すスクロール型圧縮機と同様なので、同一部材には同一符号を付しその説明を省略する。
【００９３】
次にこのスクロール型圧縮機の一連の圧縮動作は、実施の形態１において説明したスクロール型圧縮機の圧縮動作と同様である。その圧縮動作においては、制御部３１により図３に示すフローチャートにしたがって所定の処理が行われる。
【００９４】
ここで、スクロール型圧縮機が標準的な運転圧力比にて運転される場合には、実施の形態１において説明したように、離反力に対して押付力が十分に大きいため、アンローダ機構１１は動作しない。そして、離反力に対して押付力が十分に大きいことで、各スクロール歯２ａ、４ａと鏡板２ｂ、４ｂとの密着性が確保され、内部リークの発生が抑制される。
【００９５】
次に、スクロール型圧縮機が低運転圧力比にて運転される場合には、アンローダ機構１１が動作する。この場合について詳しく説明する。
【００９６】
本スクロール型圧縮機の場合では、特に第１背圧室１４内の高圧の冷媒ガスが、シールリング８近傍の隙間から減圧されて第２背圧室に流入する。冷媒ガスの流入により、第２背圧室内の圧力が上昇する。
【００９７】
そして、第２背圧室内の圧力が、ばね４３の弾性力とピストン４１に作用する吸入圧力Ｐｓとの和よりも大きくなると、ピストン４１が上昇して第１背圧室１５と吸入圧力室１６ｂまたはスクロール最外周の吸入圧力に近い圧力の圧縮室とが通路４２を介して繋がることになる。そして、第２背圧室１５内の冷媒ガスが吸入圧力室１６ｂへ流れ込む。
【００９８】
冷媒ガスが吸入圧力室１６ｂに流れ込むことで第２背圧室内の圧力が下がり、ピストン４１が下降して通路４２が閉じられる。そして、第２背圧室１５には、シールリング８の隙間を介して冷媒ガスが流れ込む。以下同様の動作が繰り返されることで、第２背圧室の圧力は、吐出圧力Ｐｄと吸入圧力Ｐｓとの間の中間圧力Ｐｍｂに維持される。
【００９９】
スクロール型圧縮機が低運転圧力比で運転される場合には、アンローダ機構１１が動作して、圧縮室１６ａ内の冷媒ガスが吸入口１３の側へ導かれる。これにより、鏡板４ｂには、図６に示すように、吸入行程中の吸入圧力Ｐｓおよび吐出行程中の吐出圧力Ｐｄに基づいて離反力が作用する。
【０１００】
一方の鏡板４ｂの背面には、第１背圧室内の吐出圧力Ｐｄと第２背圧室内の中間圧力Ｐｍｂに基づいて押付力が作用する。離反力は実施の形態１におけるスクロール型圧縮機の場合と実質的に同じである。ところが、押付力は第２背圧室１５内の圧力が吐出圧力Ｐｄと吸入圧力Ｐｓとの間の中間圧力Ｐｍｂである。
【０１０１】
このため、対応する圧力が吸入圧力Ｐｓである実施の形態１の場合のスクロール型圧縮機と比べると、押付力がより強くなり、各スクロール歯２ａ、４ａが対向する鏡板２ｂ、４ｂにさらに良好に密着して、内部リークの発生を効果的に抑制することができる。
【０１０２】
なお、このスクロール型圧縮機では、第２背圧室１５内の圧力をばね４３のばね定数を選択することで適当な圧力に調整するとともに、第１背圧室１４および第２背圧室の受圧面積を調整することにより、特に、高運転圧力比の場合に、押付力が離反力に比べて過大になって、圧縮効率が低下したり、各スクロール歯２ａ、４ａが対向する鏡板２ｂ、４ｂに焼付くなどの不都合を防止することができる。
【０１０３】
このスクロール型圧縮機でも、可動スクロールの傾きに関するモーメントやデフロスト運転などを考慮してアンローダ機構１１を制御することで、実施の形態１において説明した効果と同様の効果を得ることができる。
【０１０４】
実施の形態３
本実施の形態では、自動的にアンロード機構を動作させることのできるスクロール型圧縮機について説明する。
【０１０５】
図７を参照して、アンローダ機構１１は固定スクロール２の鏡板２ｂに設けられている。鏡板２ｂには、ドーム２２ａ内の空間を介して圧縮室１６ａと吸入口側とを結ぶための通路１２ｄが設けられている。通路１２ｄの途中にはシリンダ１１ａが形成され、ピストン１１ｂが装着されている。
【０１０６】
そのピストン１１ｂの一方側にはばね１１ｃが配置され、吸入圧力Ｐｓとばね１１ｃによる弾性力が作用している。ピストン１１ｂの他方側は、吐出行程中の圧縮室と連通され、ピストン背圧として概ね吐出圧力Ｐｄが作用している。固定スクロール２には、第２背圧室１５と吸入口側とを連通する連通路が設けられている。これ以外の構成については、実施の形態１において説明したスクロール型圧縮機と同様なので、同一部材には同一符号を付しその説明を省略する。
【０１０７】
このスクロール型圧縮機の一連の圧縮動作も、実施の形態１において説明したスクロール型圧縮機の圧縮動作と同様である。
【０１０８】
このスクロール型圧縮機が標準的な運転圧力比にて運転される場合には、吐出圧力Ｐｄが比較的大きいために、吐出圧力Ｐｄと吸入圧力Ｐｓとの差圧に基づいてピストン１１ｂの受圧面に作用する力が、ばね１１ｃに基づく弾性力よりも大きい。
【０１０９】
したがって、この場合には、ピストン１１ｂは紙面に向かって左の端に位置して、アンローダ機構１１は動作しない。このため、圧縮室１６ａは密閉された状態であり、圧縮室１６ａの圧力は圧縮途中の中間圧力Ｐｍになる。
【０１１０】
そして、離反力に対して押付力が十分に大きいことで、各スクロール歯２ａ、４ａと鏡板２ｂ、４ｂとの密着性が確保され、内部リークの発生が抑制される。
【０１１１】
次に、スクロール型圧縮機が低運転圧力比にて運転される場合には、アンローダ機構１１が自動的に動作する。この場合について詳しく説明する。
【０１１２】
低運転圧力比の運転状況では、吐出圧力Ｐｄが下がるために、圧縮途中の圧縮室の圧力が最も高くなって、過圧縮現象が発生することがある。
【０１１３】
吐出圧力Ｐｄが圧縮途中の圧力Ｐｍよりも下がることで、吐出圧力Ｐｄと吸入圧力Ｐｓとの差圧に基づいてピストン１１ｂの受圧面に作用する力が、ばね１１ｃに基づく弾性力よりも小さくなれば、ピストン１１ｂは紙面に向かって右の方向に自動的に変位してアンローダ機構１１が動作する。これにより、圧縮室１６ａと吸入口１３の側とが繋がり、圧縮室１６ａの圧力はほぼ吸入圧力Ｐｓになる。
【０１１４】
したがって、この場合の可動スクロール４の鏡板４ｂに作用する圧縮室の圧力分布は、図３に示す分布と実質的に同じになる。
【０１１５】
一方、鏡板４ｂに作用する背面室の圧力分布においては、実施の形態１において説明したように、シールリング８よりも内側の領域では、吐出圧力Ｐｄが作用し、外側の領域では吸入圧力Ｐｓが作用している。鏡板４ｂにはこれらの力に基づいて押付力が作用する。この押付力は、アンローダ機構１１が動作する前後において変化がない。
【０１１６】
このように圧縮室１６ａ内の圧力Ｐｍが吸入圧力Ｐｓ程度にまで下がることで、離反力も下がる。また、圧縮室１６ａ内の圧力が下がることで、過圧縮現象も緩和される。
【０１１７】
したがって、押付力が低下しても離反力が下がることで相対的には十分な押付力が得られて、各スクロール歯２ａ、４ａが対向する鏡板２ｂ、４ｂに良好に密着して内部リークの発生を抑制することができる。
【０１１８】
ところで、このアンローダ機構１１におけるばね１１ｃとしては、弾性力が比較的小さいものが望ましい。このことについて説明する。
【０１１９】
たとえば、デフロスト運転の場合のように、吐出圧力Ｐｄおよび吸入圧力Ｐｓがともに低い場合に、ばねの弾性力がこれらの圧力に基づく力に比較して大きい場合には、ばねの弾性力が支配的になる。
【０１２０】
この場合には、運転圧力比がたとえ大きくてもばねの弾性力によって自動的にピストン１１ｃが紙面に向かって右端に移動して、アンローダ機構１１が動作してしまう。
【０１２１】
そうすると、デフロスト運転に長時間を要することになる。また、この場合に、インバータ制御により高速運転を行おうとすると、デフロスト運転では吐出量も少ないため、モータを非常に高速回転させる必要があり、モータの信頼性、騒音および振動が問題になる。
【０１２２】
そこで、ばね１１ｃとしては、低運転圧力比の運転状況下で各スクロール歯２ａ、４ａと対向する鏡板４ｂ、２ｂとが大きく離反しない程度まで、アンローダ機構１１が動作しないような小さい弾性力を有しているものを選択するのが望ましい。
【０１２３】
このようなばね１１ｃを設けることで、デフロスト運転時にも、アンローダ機構１１が動作することはなく、デフロスト運転を短時間で終えることができる。
【０１２４】
また、実施の形態２において説明したスクロール型圧縮機のように、第２背圧室１５に、シールリング８近傍の隙間を介して第１背圧室１４内の流体を減圧して導くとともに、第２背圧室１５内の圧力を吸入圧力Ｐｓと吐出圧力Ｐｄとの間の圧力に保持するための所定の機構を設けてもよい。
【０１２５】
この場合にも、第２背圧室１５に対応する背圧が大きくなることで押付力がより強くなり、各スクロール歯２ａ、４ａが対向する鏡板２ｂ、４ｂにさらに良好に密着して、内部リークの発生を効果的に抑制することができる。
【０１２６】
なお、上記各実施の形態においては、可動スクロールを固定スクロールの側に押付ける場合について説明したが、固定スクロールを可動スクロールの側に押付けるような構成に対しても、上述した制御部やアンローダ機構等を設けることによって、内部リークを抑制することができる。
【０１２７】
また、上述した各スクロール型圧縮機において、従来のスクロール型圧縮機のように、圧縮途中の圧縮室の冷媒ガスを吐出口の側へ開放するリリーフポートとリリーフ弁（いずれも図示せず）を設けてもよい。
【０１２８】
リリーフポートおよびリリーフ弁により過圧縮が抑制されるとともに、アンローダ機構１１により、通路１２ａ、１２ｄに通じている圧縮室の後（外側）に続く圧縮室の圧力が吸入圧力程度にまで下がることで、離反力に対して十分な押付力が得られて、従来のスクロール型圧縮機の場合よりも確実に内部リークの発生を抑制することができる。
【０１２９】
また、アンローダ機構１１を動作させても非常に運転圧力比が小さい場合には、過圧縮現象が発生することがあり、この場合に過圧縮を起こしている圧縮室の冷媒ガスが吐出口１３の側の領域に開放されて、過圧縮現象をより緩和することができる。
【０１３０】
さらに、スクロール型圧縮機を駆動する電動機を可変速型電動機（インバータ制御）とし、アンロード機構を動作させずに、デフロスト運転時に電動機の回転数を上げて、スクロール型圧縮機の吐出量を増加させることで、より短時間で終了させることができる。
【０１３１】
また、一般的に運転圧力比が低いときには、冷凍空調機では熱負荷も小さく、スクロール型圧縮機の吐出量が少ないほうが消費電力低減の観点から好ましく、本スクロール型圧縮機では、インバータ制御によりモータ２４の回転数を低くし、しかも、アンロード機構１１を動作させることにより、適正な吐出量が得られて過圧縮が少ない効率の高い圧縮が可能になる。
【０１３２】
さらに、各実施の形態では、アンローダ機構は圧縮途中の圧縮室１６ａと吸入圧力室または吸入口側の領域とを連絡する通路に設けたと説明してきたが、この通路は、スクロールの最外周で形成される圧縮が開始する状態の部屋から、ある程度圧縮が進行した状態の部屋までを連絡するように設けられるのが、予圧縮損失を最小限に抑えるうえで望ましい。
【０１３３】
今回開示された実施の形態はすべての点で例示であって制限的なものではないと考えられるべきである。本発明の範囲は上記した説明ではなく、特許請求の範囲によって示され、特許請求の範囲と均等の意味およびすべての変更が含まれることが意図される。
【０１３４】
【発明の効果】
請求項１に記載されたスクロール型圧縮機によれば、たとえば低運転圧力比にて運転される場合に過圧縮現象が発生するなどして離反力が押付力以上になろうとする場合には、制御部でこれを検知してアンローダ部を動作させることにより、圧縮途中の圧縮室の流体が吸入口の側へ導かれる。これにより、押付力が下がっても離反力が下がることで相対的には十分な押付力が得られて圧縮室の内部リークを抑制することができる。また、過圧縮現象も緩和することができる。
【０１３５】
請求項２に記載されたスクロール型圧縮機によれば、蒸発器を流れる流体の温度から得られる蒸発温度と、凝縮器を流れる流体の温度から得られる凝縮温度とから、それぞれ蒸発圧力と凝縮圧力とが一意的に求められる。その蒸発圧力および凝縮圧力は、それぞれ吸入圧力および吐出圧力に略等しい。これにより、蒸発器を流れる流体の温度と凝縮器を流れる流体の温度とを測定することで、容易に吸入圧力と吐出圧力とを求めることができる。
【０１３６】
請求項３に記載されたスクロール型圧縮機によれば、第１開閉部の開閉動作を、流体の圧力を利用し吐出圧力の流体と吸入圧力の流体とを切替えることによって容易に行うことができる。
【０１３７】
請求項４に記載されたスクロール型圧縮機によれば、吐出圧力の流体が減圧されることで、第２背圧室内の圧力は吐出圧力と吸入圧力との間の圧力になる。これにより、第２背圧室内の圧力が吸入圧力である場合と比べて、さらに十分な押付力が得られて、内部リークの発生を効果的に抑制することができる。また、第１背圧室および第２背圧室の圧力をすべて吐出圧力とする場合よりも、通常の運転圧力比にて運転される場合の押付力は小さくなるため、一方のスクロールを他方のスクロールに押付け過ぎることもない。
【０１３８】
請求項５に記載されたスクロール型圧縮機によれば、複雑な機構を必要とせずに流体を容易に減圧することができる。
【０１３９】
請求項６に記載されたスクロール型圧縮機によれば、電動機の回転数を上げることで、たとえばデフロスト運転を短時間で終了させることができる。
【０１４０】
請求項７に記載されたスクロール型圧縮機によれば、アンローダ部を動作させても非常に運転圧力比が小さい場合には、過圧縮現象が発生することがあり、この場合に過圧縮を起こしている圧縮室の流体が吐出口の側の領域に開放されて、過圧縮現象をより緩和することができる。
【図面の簡単な説明】
【図１】  本発明の実施の形態１に係るスクロール型圧縮機を含む冷凍サイクルの構成を示す図である。
【図２】  同実施の形態において、図１に示すスクロール型圧縮機の部分縦断面図である。
【図３】  同実施の形態において、制御部のフローチャートを示す図である。
【図４】  同実施の形態において、可動スクロールの位置に対する圧縮室圧力と背圧力の分布を示す図である。
【図５】  本発明の実施の形態２に係るスクロール型圧縮機の部分縦断面図である。
【図６】  同実施の形態において、可動スクロールの位置に対する圧縮室圧力と背圧力の分布を示す図である。
【図７】  本発明の実施の形態３に係るスクロール型圧縮機の部分縦断面図である。
【図８】  従来のスクロール型圧縮機の部分縦断面図である。
【図９】  従来のスクロール型圧縮機において、可動スクロールの位置に対する圧縮室圧力と背圧力の分布を示す図である。
【図１０】  従来のスクロール型圧縮機において、問題点を説明するための可動スクロールの位置に対する圧縮室圧力と背圧力の分布を示す図である。
【符号の説明】
１  スクロール型圧縮機、２  固定スクロール、２ａ  固定スクロール歯、２ｂ鏡板、４  可動スクロール、４ａ  可動スクロール歯、４ｂ  鏡板、４ｃ  ボス部、５  駆動軸、５ａ  吐出ガス通路、５ｂ  偏心軸部、６  架構、７  クランク室、８  シールリング、９  吐出口、１０  連通路、１１  アンローダ機構、１１ａ  シリンダ、１１ｂ  ピストン、１１ｃ  ばね、１２ａ〜１２ｄ  通路、１３  吸入口、１４  第１背圧室、１５  第２背圧室、１６，１６ａ、１６ｂ圧縮室、２０  吸入管、２１  吐出管、２２  ケーシング、２２ａ  ドーム、２４  モータ、３０  バイパス、３１  制御部、３２  電磁弁、３３  蒸発器、３４  膨張弁、３５  凝縮器、３６  減圧キャピラリ、３７ａ、３７ｂ  温度センサ、４０  シリンダ、４１  ピストン、４２  通路、４３  ばね、５１  ピンメタル、５２  スライドブシュ。
【図１】
0004729773.tif 000002
【図２】
0004729773.tif 000003
【図３】
0004729773.tif 000004
【図４】
0004729773.tif 000005
【図５】
0004729773.tif 000006
【図６】
0004729773.tif 000007
【図７】
0004729773.tif 000008
【図８】
0004729773.tif 000009
【図９】
0004729773.tif 000010
【図１０】
0004729773.tif 000011